(57)【要約】情報ランドスケープに構成されデータベースにアクセスするためのユーザインタフェースは、データベースの情報をユーザによってより利用できるよう配列するために構造的なたとえ、とりわけ、スタジアムを使用する。スポットライト及び問合せツールがデータベース内のアイテムにアクセスするためにユーザを補助する。マルチユーザのバージョンは、チャットスペース特性を含む。【特許請求の範囲】
【請求項１】
データ処理装置によって読み取り可能な媒体中に包含されるデータベースをブラウジングするためのユーザインタフェースのディスプレイを与えるために配置される装置であって、
上記データベースは、カテゴリーに配列可能な複数のデータアイテムを有し、
上記インタフェースは上記データアイテムが複数の見かけ上横並びの列に配列される情報ランドスケープを有し、
上記第１の横並びの列は関連する第１の見かけ上のレベルにあり、上記第２の横並びの列は関連する第２の見かけ上のレベルにあり、上記第２の横並びの列は第１の見かけ上のディメンションの方向に上記第１の横並びの列と見かけ上隣接されるが、第２及び第３の見かけ上のディメンションにおいて上記第１の横並びの列に対してオフセットにおかれ、従って、複数の上記横並びの列はスタジアムの席に類似し、上記各横並びの列は関連する情報カテゴリーを表わす装置。
【請求項２】
上記各横並びの列は期間を表わす請求項１記載の装置。
【請求項３】
ａ．上記横並びの列は横並びの列用境界線によって分離され、
ｂ．上記ユーザインタフェースは上記横並びの列の上に重畳される複数の隣接する区分を有し、上記隣接される区分は上記横並びの列用境界線を交差する区分用境界線によって分離され、上記各区分は関連する第２の情報カテゴリーを表わす請求項１記載の装置。
【請求項４】
ａ．上記関連するデータアイテムは関連するメディアセレクションを表わし、
ｂ．上記各関連する区分は上記メディアセレクションの対応するタイプを表わし、
ｃ．上記各関連する横並びの列は関連する期間を表わす請求項３記載の装置。
【請求項５】
上記情報ランドスケープ内で動きを特定するナビゲーション部分と、
選択されるべきメディアセレクションに対してより高い又はより低いランク付けを特定する基準部分とを有するナビゲーションツールを更に有する請求項４記載の装置。
【請求項６】
隣接する一組の横並びの列は、横並びの列用境界線によって分離され、上記各横並び列用境界線は湾曲であり複数の上記横並びの列は合わさると円形劇場に類似する請求項１記載の装置。
【請求項７】
ａ．上記隣接する横並びの列は上記横並び列用境界線によって分離され、
ｂ．上記ユーザインタフェースは上記横並びの列の上に重畳される複数の隣接する区分を有し、上記隣接される区分は透視画法のために補正されるとき上記横並び列用境界線に対して垂直方向に配置され、上記各区分は対応する情報カテゴリーを表わし、
ｃ．区分の追加は上記円形劇場の湾曲の見かけ径を増加させる請求項６記載の装置。
【請求項８】
問い合わせを特定する問合せツールを更に有する請求項１記載の装置。
【請求項９】
上記問合せに応答して上記情報ランドスケープの一部分の上に見かけ上のスポットライトを照らすスポットライト特性を更に有する請求項８記載の装置。
【請求項１０】
ａ．上記情報ランドスケープの少なくとも一部分は第１の色で表示され、
ｂ．上記問合せツールに応答して上記第１の色と対称的な第２の色で上記一部分内のデータアイテムを表示する強調特性を更に有する請求項８記載の装置。
【請求項１１】
ａ．上記問合せツールは少なくとも第１、第２、及び、第３のキーワードの特定を可能にさせ、
ｂ．上記強調特性は、
ｉ．　上記第２の色により上記第１及び上記第２のキーワードの共通部分、及び、
ｉｉ．　上記第１並びに上記第２の色夫々と対称的な第３の色により上記第１、上記第２、並びに、上記第３のキーワードの共通部分を表示する、請求項１０記載の装置。
【請求項１２】
上記横並びの列の少なくとも一つの見かけ上最も低い横並びの列に隣接されるが見かけ上下にある見かけ上水平な平面領域を更に有する請求項１記載の装置。
【請求項１３】
上記平面領域は機能選択ツールを有する請求項１２記載の装置。
【請求項１４】
上記機能選択ツールは選択可能な情報を有する請求項１３記載の装置。
【請求項１５】
上記選択可能な情報は上記横並びの列の少なくとも一つの見かけ上最も低い横並びの列を通って流れる請求項１４記載の装置。
【請求項１６】
上記機能選択ツールは選択可能なチャット領域を有する請求項１３記載の装置。
【請求項１７】
ａ．隣接される列は横並び列用境界線によって分離され、
ｂ．　上記横並び列用境界線は上記情報ランドスケープを見かけ上円形劇場に類似させるよう湾曲され、
ｃ．上記見かけ上円形劇場の第１の部分は上記ユーザによって選択されるデータベースアイテムへのショートカットを記憶するために上記インタフェースの上記ユーザに割り当てられ、
ｄ．上記見かけ上円形劇場の第２の部分は他のユーザによって選択されるデータベースアイテムへのショートカットを上記他のユーザが記憶する記憶領域を表わす請求項１記載の装置。
【請求項１８】
上記第１の部分と上記第２の部分の間でブリッジングさせるブリッジツールを更に有する請求項１６記載の装置。
【請求項１９】
上記ブリッジツールは上記第１の部分と上記第２の部分の間で見かけのブリッジを表示する請求項１７記載の装置。
【請求項２０】
上記見かけのブリッジは、他のユーザの対応する選択可能な領域に夫々対応する少なくとも一つの選択可能な領域を有する請求項１８記載の装置。
【請求項２１】
ａ．上記データアイテムは個別に選択可能であり、
ｂ．上記個々のデータアイテムの選択に応答して、上記インタフェースは選択可能なオプション位置を表面上で有する見かけ上三次元の対象物として上記データアイテムを表示する請求項１記載の装置。
【請求項２２】
上記データアイテムはメディアセレクションを有し、上記選択可能なオプション位置は上記個々のデータアイテムをプレビューするために関連するプレビュースクリーンを有する請求項２１記載の装置。
【請求項２３】
データ処理装置によって読み取り可能な記録媒体に包含されるデータベースにアクセスするためのユーザインタフェースのディスプレイを与えるために配置される装置であって、上記インタフェースは、
ａ．多数の選択可能なデータアイテムを有し、透視画法で表示される情報空間と、
ｂ．上記データアイテムの分類を特定する問合せツールと、
ｃ．上記問い合わせツールに応答して上記空間の少なくとも一つの適当な区分の上に見かけ上のスポットライトを照らすスポットライトツールとを有する装置。
【請求項２４】
データ処理装置によって読み取り可能な記録媒体に包含されるデータベースにアクセスするためのユーザインタフェースのディスプレイを与えるために配置される装置であって、上記インタフェースは、
ａ．多数の選択可能なデータアイテムを有する情報空間と、
ｂ．ｉ．上記空間内で動きを特定するナビゲーション部分、及び、
ｉｉ．上記データアイテムを選択する発見的基準を特定する発見的基準部分を含むナビゲーションツールとを有する装置。
【請求項２５】
上記選択可能なデータアイテムはメディアセレクションであり、
上記発見的基準はメディアの評論家によって与えられるランク付け基準を有する請求項２４記載の装置。
【請求項２６】
データ処理装置によって読み取り可能な記録媒体に包含されるデータベースにアクセスするためのユーザインタフェースのディスプレイを与えるために配置される装置であって、上記インタフェースは、
ａ．多数の選択可能なデータアイテムを有し、透視画法で表示される情報空間と、
ｂ．上記情報空間内に見かけ上あり、上記情報空間によって少なくとも２つの側が囲われる機能選択領域とを有する装置。
【請求項２７】
上記機能選択領域は選択可能な情報の流れを有する請求項２６記載の装置。
【請求項２８】
上記機能選択領域はチャット空間を有する請求項２６記載の装置。
【請求項２９】
上記チャット空間は同様の興味を持つ他のユーザを識別するようユーザを助ける共同フィルタリングツールを更に有する請求項２８記載の装置。
【請求項３０】
データ処理装置によって読み取り可能な記録媒体に包含されるデータベースにアクセスするためのユーザインタフェースのディスプレイを与えるために配置される装置であって、上記インタフェースは、
ａ．上記見かけの情報ランドスケープからビデオセレクションを選択する手段と、
ｂ．選択されたビデオセレクションをプレビューするプレビュースクリーンを有し、上記選択手段に応答する上記ビデオセレクション情報ディスプレイとを有する装置。
【請求項３１】
上記ビデオセレクション情報ディスプレイは、上記プレビュースクリーンが表面上に配置される、見かけ上三次元の対象物を有する請求項３０記載の装置。
【請求項３２】
上記対象物は、上記表面上におかれる少なくとも一つの更なる情報要求オプション位置を有する請求項３１記載の装置。
【発明の詳細な説明】
【０００１】
［本発明の背景］
Ａ．本発明の技術的分野
本発明は、データ処理システム中のデータベース情報にアクセスするためのユーザインタフェースに関わり、より特定的には、データベース情報を表示する三次元の情報空間のイルージョンを提供するインタフェースに関する。
【０００２】
Ｂ．関連する技術
データベースの配列は、従来からテキストのデータ構造の形態にある。このテキストは、キーワードによって検索可能である。このようなデータベースは、ユーザがデータベースの中に何があり、又は、それを検索する最適な方法の概念が乏しい点であまり効果がない。
【０００３】
Ｍ．Ｉ．Ｔ．のＭｕｒｉｅｌ　Ｃｏｏｐｅｒは、情報空間の分野において将来性のある仕事を実行しており、高等教育サービス（Ａｄｖａｎｃｅｄ　Ｅｄｕｃａｔｉｏｎａｌ　Ｓｅｒｖｉｃｅｓ）のためにＭ．Ｉ．Ｔ．センターからの“Ｉｎｆｏｒｍａｔｉｏｎ　Ｌａｎｄｓｃａｐｅｓ”，Ｊｕｌｙ　２０，１９９４　最終版のビデオテープに示されるようにデータに対するより視覚的に利用できる順番を提供する。これは、見かけ上三次元空間に配置される情報を示す。配列はユーザに可視であり、従って、検索する際助けとなる。ユーザは、観ている間、宇宙を飛んでいる錯覚を有する。
【０００４】
情報空間の使用における一つの問題は、ユーザが迷い、既に訪れた場所に戻る方法を思い出せず、情報の新しいカテゴリーをどのようにして探すかを知ることができない点である。
【０００５】
１９９７年５月１６日に出願された米国特許出願第０８／８５８，６０３号は、より容易にアクセスすることができる情報空間を作る技法、とりわけ、空間の中を移動する間ユーザに基準系を提供するために常に可視可能な軸及び壁の使用を提案する。
【０００６】
しかしながら、情報空間はまだ改善の余地がある。
【０００７】
本発明は、情報空間をより良く配列させることでユーザを更に補助することを目的とする。
【０００８】
一面によると、本発明は、ユーザに馴染みがあり、従って、よりアクセスし易い構造に情報を配列させるためスタジアムのような構造的なたとえを利用する。従って、情報は横並びに配列される。各横並びの列は、情報のカテゴリーを表わす。第１の列は、関連する第１の見かけ上のレベルにある。第２の列は、関連する第２の見かけ上のレベルにある。第２の列は、第１の見かけ上のディメンションにおいて第１の列に見かけ上隣接されるが、第２及び第３の見かけ上のディメンションにおいて第１の列に対してオフセットを有する。
【０００９】
別の面によると、本発明は、問合せツールと、問合せツールに応答して情報空間の少なくとも一つの適当な部分に見かけ上のスポットライトを照らすスポットライトツールとを含む。
【００１０】
別の面によると、本発明は、情報空間内で動きを特定するナビゲーションツールを含む。ナビゲーションツールは、空間内で動きを特定するナビゲーション部分を有する。ナビゲーションツールは、データのアイテムを選択するために発見的基準を特定する発見的基準部分も有する。
【００１１】
更なる面によると、本発明は、情報ランドスケープからビデオセレクションを選択する能力を含む。選択手段に応答して、インタフェースは、プレビュースクリーンを含みビデオ情報選択ディスプレイを表示する。
【００１２】
本発明は、添付の図面を参照して非制限的な例によって説明される。
【００１３】
図１Ａは、本発明のユーザインタフェースを含み得るシステムを示す図である。システムは表示装置１を有し、この表示装置はＣＲＴを有するテレビジョン或いはモニタ、液晶装置、又は、全ての他の適切な表示機構でもよい。表示装置１はプロセッサ２に接続され、このプロセッサは、ＰＣ、セットトップボックス、又は、全ての他の適切なデータ処理装置でもよい。プロセッサ２は制限されてもよく、表示装置を「データ処理能力をもたない」モニタにさせる。プロセッサは、ローカル・メモリ装置３を有してもよい。典型的には、プロセッサは、キーボード７及びポイント／セレクト装置８のような入力装置を幾つか有する。ポイント／セレクト装置は、キーボード７の中に組込まれたマウス、トラックボール、タッチ感応スクリーン、又は、全ての他の適切なポイント／セレクト機構でもよい。メモリ装置は、ハードドライブ、ＣＤ−ＲＯＭドライブ、フロッピードライブ、ＺＩＰドライブ、又は、全ての他の適切なメモリ装置でもよい。プロセッサ２及び／又は表示装置３は、コネクション６を介して独自のメモリ４を具備するネットワーク５に接続されてもよい。ネットワーク５は、ローカル・エリア・ネットワーク（ＬＡＮ）、より大型のプライベートネットワーク、又は、インターネットのような全ての種類のものでもよい。図１Ａに例示する接続は、有線又は無線でもよい。アクセスされるべきデータベースは、メモリ３、メモリ４、又は、ネットワーク５を介してアクセス可能な全ての他のメモリに常駐してもよい。ユーザインタフェースを与えるソフトウェアは、プロセッサ２にハードワイヤードされ又はネットワーク５から送信され、メモリ装置３に記憶されてもよい。
【００１４】
図１は、本発明によるデータベースインタフェースを示す。インタフェースは、映画のデータベースに関して示される。しかしながら、インタフェースは、他の情報のデータベースにも同様に適用可能である。
【００１５】
データベースは、透視画法によって示される情報ランドスケープ１１０の形態で示される。ランドスケープは、スタジアムの構造的なたとえに従って配列される。列１１１がフィルムのジャンル、行１１２が１０年間単位のヘディング１１３の下に列挙される年度である表がスタジアム上に分布される。
【００１６】
各行は、横並びの席の様に異なる見かけレベルにあり、隣接する行は透視画法で示されるとき互いから見かけ上垂直オフセット及び見かけ上水平オフセットを典型的に有する。全ての行が隣接する行に対して見かけ上垂直オフセットを必要としないが少なくとも幾つかの行は必要とする。データベースのアイテムは各年内における封切り日によって年代順に配置される。通常の当業者は、日付以外の他のタイプのカテゴリの情報を行への割り当てに選択してもよい。例えば、個人的な情報は、行が給与級によって配列されるロケーションヘディングの下で配列されてもよい。
【００１７】
好ましい実施例のジャンルは、本例ではドラマ、コメディー、空想科学小説（ＳＦ）、西部もの、外国もの、及び、子供向けのものを含む。しかしながら、他のカテゴリーが選択されてもよい。例えば、「アルフレッド・ヒッチコック・フィルム」のようなより狭いカテゴリーが独自の区分を与えられてもよい。ユーザは、区分へディングに何のカテゴリーかを特定する選択肢を与えられてもよい。現在の実施例では、見かけスタジアム中の各席区分は所与のジャンルでの所与の１０年間に対するフィルムに対応する。
【００１８】
見かけスタジアムの可視部分１１０は、直線の行を有してもよい。しかしながら、行は、円形劇場を形成するために湾曲であることが好ましい。このようにして、ユーザがスタジアムの上高くにズームアウトした場合、スタジアムはユーザを威圧し得るような憂慮な無限の現われを有しない。全てのデータがスクリーン中に納まらない場合、図１の両側に示されるように一部分がスクリーンのエッジから出ることを含んで示され得る。円形劇場の追加的な区分は、円形劇場の湾曲の見かけの径を増加させることで追加されてもよい。
【００１９】
インタフェースは、ディスプレイの底部にツール領域１０１を含む。ツール領域は、削除、リセット、ゴースト、保存、及び、引出しのような幾つかのコマンドオプション１０２を含む。ツール領域は、ジャンル、年代、監督、ランク付け、俳優、制作者、及び、映画撮影法のような幾つかの問合せカテゴリーオプション１０３も含む。全ての選択肢がディスプレイ領域中に必ずしも納まらないことが想像される。追加のオプションは、示されるようにディスプレイ上では可視でない領域におけるツールバーの方向にスクロールされ得る。
【００２０】
本例では、問合せカテゴリー「ジャンル」１０４は黒で強調され、ユーザがジャンル、即ち、フィルムのタイプに基づいて問合せを始めることを望むことを示す。同時に、１０６における一巻のペーパータオルのようなツールは、ユーザが選択し得るジャンルを表示する。ユーザは、追加の選択肢を提示させるようにツール１０６に回転することを要求することで追加のジャンルから選択し得る。ジャンルの選択に応答して、インタフェースは、次の図において示すにようにそのジャンルを領域２０１に示させる。
【００２１】
ナビゲーションツール１０７も含まれる。ツール１０８の尖頭の端は、情報ランドスケープの中の移動の方向に指される。ツールは、ユーザが移動を始めるためにポイントし得、又は、ユーザをリードできる点でウィージャのようである。ナビゲーションツールはスペクトル１０９を含み、このスペクトルに対してユーザは幾分の発見的基準を特定し得る。例えば、発見的基準が特定の評論家によるランク付けである場合、ユーザはあるランク付け以上のフィルムだけを望むのでもよく、この場合ユーザは円１１４をプラス記号の方に移動させる。選択的に、ユーザは、基準を逆にするようインタフェースに伝え、示されるレベルより下のランク付けのつまらないフィルムだけを得てもよい。
【００２２】
選択的に、スペクトルは、ズーム特性のために使用されてもよい。別の選択は、尖頭の端の特徴的な動き又は尖頭の端の上にクリックパターンがズームを示すようにさせることである。
【００２３】
領域１０５は、プレビューのために予約される。図７は、プレビューが示される間にプレビューにズームインすることを示す。
【００２４】
図２は、図１のユーザインタフェースの問合せのフォーメーションにおける第２の段階を示す図である。この時点では、ユーザは、問合せツール領域２０１に「Ｓｃｉ−ｆｉ」を入力させている。この入力に応答して、インタフェースはスタジアムの「ｓｃｉ−ｆｉ」区分上にスポットライトツール２０２を示す。追加的に、ｓｃｉ−ｆｉ区分中の全てのデータベースアイテムは白２０３で強調される。幾つかの年度では、他の年度よりも発見的基準を満たす空想科学小説（ＳＦ）が封切りされている。従って、幾つかの年度は他の年度よりも白い四角を多く有する。
【００２５】
図３は、問合せ処理における第３の段階を示す。ユーザは第２の問合せキーワードをツール領域２０１に入力する。第２のキーワードは、コメディーである。結果として、第２のスポットライトツール３０１がコメディー用のスタジアムの区分に向けられる。コメディー及びｓｃｉ−ｆｉ夫々の下で強調されて示されるアイテムは、コメディー及びｓｃｉ−ｆｉ夫々の内容を有するフィルムである。従って、インタフェースは、ツール区分２０１へ入力されるキーワードにブール演算「ＡＮＤ」が適用されるべきことが推測されて示される。しかしながら、当業者は、「ＯＲ」のような他のブールブールコネクタを同等に適用してもよく、又は、夫々の特定化を可能にさせる。
【００２６】
図４は、問合せ動作における第４の段階を示す。ユーザは、監督の名前「Ｌｕｃ　Ｂｅｓｓｏｎ」を三番目の検索用語として特定する。用語「Ｌｕｃ　Ｂｅｓｓｏｎ」に関して、インタフェースは、この用語を２つの用語として同等に扱ってもよいが、この二つの用語の間のスペーシング及び前者の用語のため一つの検索探索用語として扱われる。従って、空想科学小説（ＳＦ）、コメディー、及び、Ｌｕｃ　Ｂｅｓｓｏｎに関連する全てのフィルムが強調される。最初の二つの問合せ用語にだけ関連するフィルムはまだ白で強調される一方で、全ての問合せ用語と関連するフィルムは例えば、４０１におけるように赤で強調される。「ゴースト」コマンドは、赤のアイテムをより目立たせるために二次結果である白をディスプレイへ又はディスプレイから切換えるためにユーザによって使用され得る。
【００２７】
図中、幾つかの色が示されるがこれらの色は任意である。当業者は、他の色を背景用又は強調用のいずれかとして工夫し得る。更に、色が好ましい一方で、グレイスケールのバージョンが当業者のレベル内にある。
【００２８】
図４ａは、問合せ処理における可能な第５の段階を示す。この場合、ユーザは、問合せ領域内においてコメディー４０２の用語を黒で強調される。これに応答して、一巻のペーパータオル風のツール１０６上でコメディーのサブカテゴリーが選択のために表わされる。このような追加の問合せアイテムは、ツール２０１の右側に追加されることが好ましい。ツール２０１内に入らない程に多数の問合せアイテムが選択される場合、スクロールされ得る。
【００２９】
図５は、インタフェースのズーム特性を示す。この場合、インタフェースは、１９９０年以降に制作されたＳＦフィルム、即ち、スタジアムの最も上にあるものにズームインされる。コメディー及びＳＦ夫々であるフィルムに対しては例えば、５０１において白で強調される一方で、全ての検索基準を満たすフィルムは例えば、５０２におけるように赤で強調される。
【００３０】
図６では、ユーザは、図５の表示から特定の強調されたアイテムを選択する。選択されたアイテムは、見かけ上三次元のアイテム６０１として表示される。この場合、アイテムは、見かけ上平行六面体として示されるが、他の形状も同等に使用されてもよい。浮き上がったフィルムは「Ｔｈｅ　Ｆｉｆｔｈ　Ｅｌｅｍｅｎｔ」なる名称のものである。ディスプレイは、フィルムに対するプレビュー領域６０２を含む。プレビューは、プレビュー・ダウンロード・ボタンを使用して捕捉されるべきである。ディスプレイは、ここで例示されるシーンの前後のシーンを見るためのスクロール領域６０３を含む。選択されたアイテム表示は、監督、制作者、作者、及び、出演者のような選択されたフィルムについてのデータを問い合わす問合せツールを６０５において含む。選択されたフィルムの短い要約書を表示するために袖広告領域６０６が設けられる。
【００３１】
図８は、スタジアム領域８０１及び８０２が情報リバー又は通路８０３の両側にある河岸として現われる、特にインターネット上で使用されることに適合されるインタフェースの実施例を示す。この通路は、検索エンジン「Ｖｏｙｅｕｒ」で形成されるようなウィンドウでもよく、これはウェブサイトｗｗｗ．ｅｘｃｉｔｅ．ｃｏｍで現在利用できる。ウィンドウの中にはユーザがクリックできる他の人の検索又は広告があってもよい。
【００３２】
図９は、インターネット用のマルチユーザアプリケーションとして特に適合されるインタフェースの別の実施例を示す。本実施例では、データベース９０１は情報ランドスケ−プの一部だけである。ランドスケープは、スタジアムの更なる区分として様々なユーザ領域９０２並びに９０３及びチャット空間９０４を有する。ユーザ領域９０２及び９０３では、ユーザは、夫々の個人的な理由で好ましいと思うフィルム又はフィルムに対するポインタの独自のデータベースを蓄積する。ユーザは、全ての他のユーザが夫々の空間にビジットすることを可能にさせる「オープンドア」ポリシー、公認されたビジターが入ることを可能にさせる「ハーフオープンドア」ポリシー、又は、ビジターを夫々のセレクションに入れることを可能にさせない「クローズドドア」ポリシーを維持し得る。
【００３３】
図９の実施例を使用するユーザは、同じトピックに関して興味を持つ他の人と会話するためにチャット空間をクリックし得る。チャット空間は、どのチャット参加者がたがいと接触するべき、又はどのユーザ空間を特定のユーザがビジットすることを望むかを決定するために、例えば、ｈｔｔｐ：／／ｗｗｗ．ｗｉｒｅｄ．ｃｏｍ／ｗｉｒｅｄ／５．１２／ｍａｅｓ＿ｐｒ．ｈｔｍｌ、及び、ｈｔｔｐ：／／ｌｃｓ．ｗｗｗ．ｍｅｄｉａ．ｍｉｔ．ｅｄｕ／ｐｅｏｐｌｅ／ｐａｔｔｉｅ／において見ることができるＭ．Ｉ．Ｔ．のＰａｔｔｙ　Ｍａｅｓによって作られた一つのソフトウェア「ＦＩＲＥＦＬＹ」のような共同フィルタリングを使用し得る。
【００３４】
図１０は、図９の実施例に追加されてもよい任意の特性を示す。９０３で示されるユーザ領域＃２が現在のユーザ空間であると仮定し、インタフェースは９０２で示されるユーザ領域＃１までチャット空間の上を延在するブリッジツール１００１を表示してもよい。ブリッジ空間の各セグメント１００２は、現在のユーザがアクセスすることを望む領域を有する例えば、Ｊａｃｑｕｅｌｙｎ、Ｌｉｒａ、Ｍｏｍ、又は、Ｄａｄのようなユーザの名前を表示し得る。適当なセグメントを選択すると、現在のユーザのスクリーン上のユーザ領域＃１はブリッジツール１００１上で選択されるユーザの空間となる。
【００３５】
選択的に又は追加的に、ブリッジツールの幾つかのセグメントは現在のユーザがズームインすることを望む情報ランドスケープ９０１の特定のカテゴリーを特定してもよい。
【００３６】
好ましい実施例は映画に対して示される。しかしながら、例えば、オーディオ、ソフトウェア、又は、他のタイプのオーディオ／ビジュアルセレクションのような全てのタイプのメディアのような他のタイプの情報がこのインタフェースを用いて同等にアクセスされてもよい。
【００３７】
本出願を読むことで当業者には他の変更態様が明らかとなる。このような変更態様は、データベースへのアクセスに対する設計、製造、及び、グラフィカルなユーザインタフェースの使用において既知である特徴を含み、このような変更態様は本明細書で既に説明された特徴の代わりに、又は、追加的に使用されてもよい。本明細書において、請求項は特定な特徴の組み合わせに対して明確に表現されているが、本明細書が解決する技術的な問題の一部又は全部を解決するかどうかに関わりなく、ここで明確に又は暗に開示された新規の特徴又はその特徴の新規の組み合わせ、又は、これらと特徴の一般化を含むことを理解すべきである。本願の従属中、若しくは、本願から派生した出願の従属中に、これらの特徴についての請求項が作成され得ることに注意されるべきである。
【００３８】
本出願において使用される「有する、含む」などの用語は、記載されていない他の素子を除外するものではない。素子は単数形で表わされているが、同じ素子が複数個存在することを除外するものではない。
【図面の簡単な説明】
【図１Ａ】
本発明のインタフェースが使用され得るシステムの略図である。
【図１】
本発明のユーザインタフェースを示す図である。
【図２】
本発明のユーザインタフェースを使用する問合せ段階の第２の段階を示す図である。
【図３】
本発明のユーザインタフェースを使用する問合せ段階の第３の段階を示す図である。
【図４】
本発明のユーザインタフェースを使用する問合せ段階の第４の段階を示す図である。
【図４ａ】
本発明のユーザインタフェースを使用する問合せ段階の第５の段階を示す図である。
【図５】
ズーム特性を示す図である。
【図６】
データベースアイテムの表示を示す図である。
【図７】
フィルムプレビューを示す図である。
【図８】
情報の流れの特性を示す図である。
【図９】
チャット及びビジット特性を示す図である。
【図１０】
ブリッジメニュー特性を示す図である。
【図１Ａ】
2004506956.tif 000002
【図１】
2004506956.tif 000003
【図２】
2004506956.tif 000004
【図３】
2004506956.tif 000005
【図４】
2004506956.tif 000006
【図４ａ】
2004506956.tif 000007
【図５】
2004506956.tif 000008
【図６】
2004506956.tif 000009
【図９】
2004506956.tif 000010
【国際公開パンフレット】
2004506956.tif 000011
2004506956.tif 000012
2004506956.tif 000013
2004506956.tif 000014
2004506956.tif 000015
2004506956.tif 000016
2004506956.tif 000017
2004506956.tif 000018
2004506956.tif 000019
2004506956.tif 000020
2004506956.tif 000021
2004506956.tif 000022
2004506956.tif 000023
2004506956.tif 000024
2004506956.tif 000025
2004506956.tif 000026
2004506956.tif 000027
2004506956.tif 000028
2004506956.tif 000029
2004506956.tif 000030
2004506956.tif 000031
2004506956.tif 000032
2004506956.tif 000033
2004506956.tif 000034
2004506956.tif 000035